(57)【要約】【課題】固定時間撮影機能は録画を開始してから所定時間後に強制的に記録が終了される為、録画開始の操作を行った直後のビデオカメラが安定しない時点の映像を含んだ映像になってしまう。【解決手段】任意の被写体を撮像する撮像手段と、撮像した画像を記録する記録手段と、固定時間長の画像を記録する固定時間撮影機能と、撮像に関する条件が好条件か否かを判定する好条件判定手段と前記好条件判定手段が好条件であると判定した時間を測定する好条件持続時間測定手段とを備えた撮像装置において、前記好条件持続時間が前記固定時間経過したときに、前記固定時間長の画像を記録することを特徴とする。【選択図】図２
2016025485.tif 000002
【特許請求の範囲】
【請求項１】
任意の被写体を撮像する撮像手段と、
撮像した画像を記録する記録手段と、
固定時間長の画像を記録する固定時間撮影機能と、
撮像に関する条件が好条件か否かを判定する好条件判定手段と、
前記好条件判定手段が好条件であると判定した時間を測定する好条件持続時間測定手段と、
を備えた撮像装置において、
前記好条件持続時間が前記固定時間経過したときに、前記固定時間長の画像を記録することを特徴とする撮像装置。
【請求項２】
前記撮像に関する条件とは、撮像画像の画質に関わる条件であることを特徴とする請求項１に記載の撮像装置。
【請求項３】
前記撮像に関する条件とは、撮像画像の音質に関わる条件であることを特徴とする請求項１に記載の撮像装置。
【請求項４】
前記画質に関わる条件とは、手ブレ、合焦、顔検出、表情検出または露出のいずれかを含むことを特徴とする請求項２に記載の撮像装置。
【発明の詳細な説明】
【技術分野】
【０００１】
本発明は、固定時間撮影機能を有する撮像装置に関するものである。
【背景技術】
【０００２】
初心者が動画を撮影する際、冗長な映像を多く含みがちである。これを解決する為に、記録開始から固定時間（ドラマや映画といった専門家が撮影した映像のカット割に相当する時間）経過後に自動的に記録を終了する固定時間撮影機能を備えた撮像装置がある。
【０００３】
また、動画の撮影時に予期せぬ撮影チャンスを逃さない為に、記録停止中に撮像画像をバッファリングしておき、記録開始が行われた際にバッファリングしていた撮像画像を所定時間記録するプリＲＥＣ機能を備えた撮像装置もある（特許文献１参照）。
【先行技術文献】
【特許文献】
【０００４】
【特許文献１】特開平６−２６６７７４号公報
【発明の概要】
【発明が解決しようとする課題】
【０００５】
しかしながら、上記従来例では固定時間撮影機能は録画を開始してから所定時間後に強制的に記録が終了される為、録画開始の操作を行った直後のビデオカメラが安定しない時点の映像を含んだ映像になってしまう。固定時間撮影機能は4秒前後の短い時間で終了するにも関わらず、その前半の数秒が手ブレなどによって安定しない映像になってしまう可能性があった。また、初心者向けの機能であるため、より良い条件の映像を簡単に切り出すことができることが望まれている。
【０００６】
上記の課題を鑑み、本発明は固定時間撮影機能において、より良い条件の映像を簡単に所定時間記録できるようにすることを目的とする。
【課題を解決するための手段】
【０００７】
本発明の撮像装置の構成は、任意の被写体を撮像する撮像手段と、撮像した画像を記録する記録手段と、固定時間長の画像を記録する固定時間撮影機能と、撮像に関する条件が好条件か否かを判定する好条件判定手段と前記好条件判定手段が好条件であると判定した時間を測定する好条件持続時間測定手段とを備え、前記好条件持続時間が前記固定時間経過したときに、前記固定時間長の画像を記録することを特徴とする。
【発明の効果】
【０００８】
本発明によれば、手ブレや明るさ等の評価値が閾値を越えている状態（好条件継続時）の所定時間長動画を記録することができる。
【図面の簡単な説明】
【０００９】
【図１】実施形態のデジタルビデオカメラのブロック構成図
【図２】第１の実施形態のデジタルビデオカメラにおけるフローチャート
【図３】図２のフローチャートを用いた実施形態のデジタルビデオカメラにおける画面遷移図
【発明を実施するための形態】
【００１０】
以下、本発明をデジタルビデオカメラに適用した場合の形態に関して説明する。図１は本発明の実施形態のデジタルビデオカメラのブロック構成図である。デジタルビデオカメラ100は被写体を撮像する撮像部101と、本体マイコン102と、本体マイコン102に対して処理を命令する為の入力部103と、現在処理している内容を表示する為の表示処理部104と、記録停止中の撮像画像を一時的に保存しておく為のバッファリング用一時記憶媒体105と、記録開始後に撮像画像を保存する為の記録媒体106から構成されている。
【００１１】
また、入力部103にはトリガー107が含まれている。トリガー107は押し込み式のON/OFFスイッチで構成され、使用者が押し込みを継続することによってON状態を維持可能である。また、押し込みを止めるとOFFになる。
【００１２】
デジタルビデオカメラ100は通常撮影モードと好条件持続固定時間撮影モードを持つ。これらのモードは入力部103で切り替え可能に構成されている。通常撮影モードは従来のデジタルビデオカメラの撮影モードと同様に、トリガー107を一回押し離しすると録画がスタートし、再度押し離しすると録画を停止するモードである。記録媒体106には、はじめにトリガー107を押し離しした時点から再度押し離しした時点までの撮影画像が１ファイルとして記録される。
【００１３】
次に、好条件持続固定時間撮影モードについて説明する。その前に既存の固定時間撮影モードについて簡単に説明すると、固定時間撮影モードは記録開始から固定時間（ドラマや映画といった専門家が撮影した映像のカット割に相当する時間）経過後に自動的に記録を終了するモードである。たとえば4秒の固定時間とすると、トリガー107を押して記録開始した後、4秒後に自動的に記録を終了して、長さ4秒のファイルを記録するモードとなる。
【００１４】
このようにあらかじめ決めた固定時間長の映像にすることによって、冗長な映像を避け、編集や閲覧を容易にすることが出来るという特徴がある。本発明における好条件持続固定時間撮影モードは、既存の固定時間撮影モードをさらに進化させた撮影モードで、映像にとって好条件が固定時間長持続した時に、その固定時間長の映像をファイルとして記録するモードである。詳細なフローは後述するが、要約をすると以下のようになる。
【００１５】
「デジタルビデオカメラ100の使用者がトリガー107を押し続けている間、映像にとって好条件かどうかの判断を常に行うとともに、その持続時間を計測し続け、持続時間があらかじめ設定された固定時間を超えたときに、その時点までの固定時間長の映像をファイルとして記録するモード」が本発明が示すところの好条件持続固定時間撮影モードである。このようなモードを備えることによって、長時間の映像から条件の良い部分だけを切り出すといった手間を省くことが出来る。また、好条件が持続した固定時間の撮影が終了したあともトリガー107が押され続けていた場合についても後述のフローで説明する。
【００１６】
以下に好条件持続固定時間撮影モードの詳細をフローチャートを用いて説明する。まず前提条件として本実施例では固定時間撮影モードの固定時間4秒とし、撮影画像を一時的にバッファリングするプリRECのバッファリング時間を５秒とする。また、好条件の例として手ブレを用いて説明する。本実施例では説明をわかりやすくする為に手ブレのみを好条件の判定に用いたが、本発明の適用可能な好条件はこの限りでないことは言うまでも無い。例えば、合焦や露出、顔検出、表情検出、音声などのさまざまな条件に閾値を設けて好条件を判定する例に対して適用可能である。また、単一の条件だけでなく、複数の条件を組み合わせて判定してもかまわない。
【００１７】
図２に第１の実施形態のデジタルビデオカメラの好条件持続固定時間撮影モードにおけるフローチャートを示す。S201でトリガー107の押し込みが行われると、S202でバッファへのプリRECがスタートする。プリRECはバッファリング用一時記録媒体105に所定時間（本実施例では5秒間）常時記録を続け、所定時間経過後に次の所定時間分の画像を記録していく。S201でトリガー107が押されていない場合は、録画スタンバイ状態S211で待機となる。
【００１８】
S202でプリRECがスタートすると同時に、S203で好条件判定をスタートする。S204の好条件判定では手ブレの量が所定量以上であれば好条件でなく、所定量未満であれば好条件であると判断する。手ブレの量の判定には、通常のデジタルビデオカメラ等で使用されるジャイロセンサーが出力する変位量を用いる。S204で好条件ではないと判断された場合はS201に戻る。S204で好条件であると判断された場合、S205で表示処理部104に好条件であることを使用者へ知らせる表示を表示させる。この表示は、例えばバーインジケータのような物で、ある閾値を越えると「OK」と表示されるような物である（図3を用いて後述）。そして、好条件であると判断された時点からの好条件持続時間をS206で開始する。
【００１９】
持続時間の測定結果についてS207でその持続時間が固定時間経過しているかどうか判断する。ここで、固定時間に達していなければS208でトリガー107の押し込みが継続されているかどうか判断する。トリガー107が押し込まれつづけているときは、S203に戻り、好条件の持続時間が固定時間を越えるまでこのループが繰り返される。また、S208でトリガー107の押し込みが解除されていたときはS212でスタンバイ状態となる。
【００２０】
そして、S207で好条件の持続時間が固定時間経過していると判断されたとき、S209でその時点までの映像を固定時間動画として記録媒体106に記録する。そして、S210で固定時間動画記録が完了したことを表示処理部104で表示する。その後S211でトリガー107の押し込みが継続されているかどうか判断する。トリガー107が押し込まれていなければ、S212のスタンバイ状態になる。S211でトリガー107の押し込みが継続されていると判断された場合、表示処理部104によって「このまま長時間録画しますか？  YES  押し込み継続／NO  トリガーを離す」という趣旨の表示を行う。
【００２１】
そしてS213でトリガー107の押し込みが継続されているか判断を行い、押し込みが解除されていればS212でスタンバイ状態になる。S213でさらにトリガー107の押し込みが継続されていると判断された場合、S215で通常の録画をスタートさせる。ここでいう通常の録画とは、好条件の判定に関わらず、押し込みが継続している間の映像を全て記録するという意味である。したがって、S216でトリガー107が離された時点までの映像を通常動画として記録媒体106に記録して、S212のスタンバイ状態となる。
【００２２】
本実施例ではS211以降、トリガーを押し続けている場合と離した場合での処理を詳説したが、本発明の主旨は飽くまでS210までのフローである。従って、S210以降、トリガー107の押し込み如何に関わらず、S212のスタンバイ状態に遷移するような形態でも構わない。
【００２３】
次に、上述のフローに沿って、表示処理部104が表示させる表示内容の遷移形態について図３を用いて説明する。まず、表示されている各アイコン等について説明する。301は動画モードであることを示すアイコンである。302は固定時間撮影モードの表示である。303は録画がスタンバイもしくは一時停止を示すアイコンで、録画が始まると308の表示に切り替わる。
【００２４】
304は好条件判定インジケータで、インジケータの中央付近に閾値を示す指標306があり、インジケータは2色で構成されていて、図中左側から伸びた表示307の領域が図中右方向へ広がるほど好条件、つまり本実施例では手ブレが少ない状態を示す。表示307が指標306を越えたときに好条件になっていることになる。そして図３(a)は手ブレが閾値を下回っている状態を示していて、そのことを使用者に知らせる表示を305のアイコンで示している。このアイコン305は図３(b)に示す手ブレが閾値を越えた状態の時には、アイコン309に置き換わる。
【００２５】
図2のフローチャートとの関連で述べると、図３(a)はS204の判断で、好条件が下回っていると判断されている状態で、図３(b)はS205の状態を示していることになる。また、カウンター表示310は好条件が持続している状態の時間を表示しているもので、S206の測定状態を表現している。そして、図3(c)では好条件が4秒間持続したときの表示内容を示している。一旦この時点での4秒間の映像を記録しているため、録画スタンバイ・一時停止のアイコン303を表示させる。そして、その後もトリガー107が継続して押し込みされているときは、図３(d)のように、S213で説明した内容311を表示する。  そして、トリガー107が押し込まれていなければ、図３(e)に遷移してS212録画スタンバイ・一時停止になる。また、トリガー107が押し込み継続されている場合には、図3(f)の表示になり、録画がなされていることを示すアイコン308が表示される。
【００２６】
本実施例では手ブレを判定条件として、手ブレの量が少ないときを好条件として判定するものとして説明を行った。
【００２７】
次に、前述のその他条件、つまり合焦や露出、顔検出、表情検出、音声を判定条件とする場合について追記する。まず、合焦に関しては、オートフォーカス機能を備えた撮像装置において、合焦しているか否かに応じて判定を行うなどである。露出に関しては、適正露出との乖離量に応じて判定を行うなどである。
【００２８】
顔検出に関しては、顔が検出されているか否かに応じての判定や、顔の向きが撮像装置に対して正面を向いているか否かに応じての判定を行うことなどが適用可能である。表情検出に関しては、笑顔か否かに応じて判定を行うなどである。音声に関しては、音量または雑音の少なさなどに応じて判定を行うなどである。
【００２９】
本実施例では撮像装置の例としてデジタルビデオカメラを用いて説明を行ったが、本発明が適用できる撮像装置はこの限りではない。動画撮影を行うことが出来るあらゆる撮像装置、すなわちデジタルスチルカメラや携帯情報端末、携帯電話等においても適用可能であることは言うまでも無い。
【符号の説明】
【００３０】
１００  デジタルビデオカメラ、１０１  撮像部、１０６  記録媒体
【図１】
2016025485.tif 000003
【図２】
2016025485.tif 000004
【図３】
2016025485.tif 000005